(57)【要約】【課題】物品収容ボックスと郵便受を混交して共通の筐体中に組み込むことができ、物品収容ボックスと郵便受の各々の数や配置位置を設計／組立時、あるいは全体の設置後に任意に高い自由度で変更できるようにする。【解決手段】物品収容ボックス６１０、および郵便受６２０として所定の単位サイズに基づきその形状およびサイズが決定された収受ユニットと接続される主制御部６０１は、収受ユニットが物品収容ボックスであるか郵便受であるかを示す第１の識別情報６０１４ｂと、当該収受ユニットが郵便受である場合に当該郵便受と対応づけられる特定の宛先を識別する第２の識別情報６０１４ｃを登録可能な管理テーブル６０１４を有し、制御回路は、管理テーブル６０１４を用いて物品収容ボックスないし郵便受として機能する収受ユニットの電気錠の施錠および開錠を制御する。【選択図】図３
2010115263.tif 000002
【特許請求の範囲】
【請求項１】
宅配荷物または郵便物の収受に用いられる物品収受装置において、
配達された宅配荷物を収容するとともに電気錠により施錠可能な複数の物品収容ボックスと、
配達された郵便物を収容し、その取り出し口を電気錠を介して施錠可能であり、特定の宛先に対応づけられて配置される複数の郵便受と、
前記物品収容ボックス、および前記郵便受が所定の単位サイズに基づきその形状およびサイズが決定された収受ユニットとして構成され、少なくとも前記電気錠を制御する基板を含み、前記物品収容ボックスまたは前記郵便受として機能する収受ユニットを収容する筐体と、
前記物品収容ボックスないし前記郵便受として機能する前記収受ユニットの前記基板と電気的に接続され、前記収受ユニットの電気錠の施錠および開錠を制御する制御回路と、を含み、
前記制御回路は、前記筐体に収容され、かつ該制御回路とその基板が電気的に接続された前記収受ユニットが物品収容ボックスであるか郵便受であるかを示す第１の識別情報と、当該収受ユニットが郵便受である場合に当該郵便受と対応づけられる特定の宛先を識別する第２の識別情報を登録可能な管理テーブルを有し、前記制御回路は、前記管理テーブルを用いて前記物品収容ボックスないし前記郵便受として機能する前記収受ユニットの電気錠の施錠および開錠を制御することを特徴とする物品収受装置。
【請求項２】
前記筐体に前記物品収容ボックスないし前記郵便受として機能する前記収受ユニットが組み付けられた、あるいは前記収受ユニットの組み換えが行なわれた場合に、前記制御手段が前記管理テーブルの格納情報を変更する手動操作入力を受けつけ、該手動操作入力に基づき前記管理テーブルの登録情報を変更する割り付け変更処理を行なうことを特徴とする請求項１に記載の物品収受装置。
【請求項３】
前記筐体に前記物品収容ボックスないし前記郵便受として機能する前記収受ユニットの前記基板に、当該収受ユニットが物品収容ボックスであるか郵便受であるかを示す第１の識別情報、あるいはさらに当該収受ユニットが郵便受である場合に当該郵便受と対応づけられる特定の宛先を識別する第２の識別情報が付与され、
前記筐体に前記物品収容ボックスないし前記郵便受として機能する前記収受ユニットが組み付けられた、あるいは前記収受ユニットの組み換えが行なわれた場合に、前記基板に付与された前記制御手段が前記第１の識別情報あるいはさらに前記第２の識別情報を読み出して自動的に前記管理テーブルの登録情報を変更する割り付け変更処理を行なうことを特徴とする請求項１に記載の物品収受装置。
【請求項４】
所定操作入力、または計時手段が計時した計時情報に応じて、前記管理テーブルの登録情報のうち、前記収受ユニットが郵便受である場合に当該郵便受と対応づけられる特定の宛先を識別する第２の識別情報を変更することにより、当該郵便受と特定の宛先との対応づけを変更することを特徴とする請求項１に記載の物品収受装置。
【発明の詳細な説明】
【技術分野】
【０００１】
本発明は、物品収受装置、特に、宅配荷物または郵便物の収受に用いられる物品収受装置に関するものである。
【背景技術】
【０００２】
マンションなどの集合住宅などには、宅配物集合保管装置、いわゆる宅配ボックスが設置されることがある。宅配ボックスは、特定の居住者宛ての宅配荷物を受け取る、あるいは特定の居住者が発送する宅配荷物を集荷するための施錠可能、かつ物理的な鍵やＩＤカードを用いた鍵により開錠可能な物品収納ボックスを複数有するロッカーに類似した物品収納装置である。
【０００３】
近年では、複数の物品収納ボックスに対する宅配荷物などの出し入れを、タッチパネルなどによる操作表示部の操作を介して制御する制御回路を用いて管理する宅配ボックスが知られている。
【０００４】
多くの場合、このような宅配ボックスの物品収納ボックスの受容口の扉はオートロックなどにより画成されたマンションの居住者空間の外側に開口し、取り出し口の扉は居住者空間の内側に配置される。
【０００５】
また、集合住宅などには、宅配ボックスが設置されていなくても、郵便受は必ず配置される。オートロック化されたマンションなどでは、各居室ごとの郵便受を多数配列した集合型の郵便ポストが用いられており、その受容口は、通常、オートロックにより画成されたマンションの居住者空間の外側に開口し、取り出し口は居住者空間の内側に配置される。
【０００６】
さらに、物品収受、という共通性から、上記の宅配ボックスを、郵便ポストとともに配置する場合の構成として下記特許文献１に示されるような構成が既に知られている。また、宅配ボックスを、郵便ポストとともに配置する場合に、受取人を識別して宅配ボックスと郵便ポストの開錠を連動させる構成も知られている（例えば下記の特許文献２）。
【特許文献１】特開２００４−２４８７４２号公報
【特許文献２】特開平０５−２８７９４３号公報
【発明の開示】
【発明が解決しようとする課題】
【０００７】
宅配ボックスと郵便ポストを配置する場合の構成として、問題になるのは、宅配ボックスの物品収容ボックスと郵便ポストの郵便受の割り当てである。
【０００８】
一般にこの種の宅配荷物および郵便物の収受に用いられる物品収受装置をマンションなどの集合住宅などに設置する場合、物品収受装置全体の配置スペースは限られており、また、個々の集合住宅によってそのサイズ（たとえば縦横サイズや容積）や形状はまちまちである。
【０００９】
集合住宅などのレイアウトなどの制約があるにも係わらず、宅配ボックスと郵便ポストをそれぞれ独立して設置するような構成では、貴重なエントランスの空間を空間の有効活用に難があり、居住者からみれば動線の無駄、使い勝手の悪さが生じる。
【００１０】
そこで、スペースを有効利用し、また、居住者の動線にみあった使い勝手を向上すべく、宅配ボックスと郵便ポストをそれぞれ独立した筐体に組み込むのではなく、共通の筐体中に物品収容ボックスと郵便受を配置する構成も考えられる。しかしながら、通常は、郵便ポストの郵便受の数は、最低でも集合住宅の所帯数が必要であり（あるいはさらに管理人室用などの郵便受も必要になる場合がある）、したがって、多くの場合、まず必要な数の郵便受を集合住宅の配置スペースにみあった物品収受装置のサイズ内に割り当て、残りのスペースに物品収容ボックスを配置する、といったカスタム化が物品収受装置の設計や、組立の際に必要となる。
【００１１】
ところが、従来では、宅配ボックスの物品収容ボックスと郵便ポストの郵便受は、物品収受装置の筐体中に固定的に設けられるのが普通であり、いったん、物品収容ボックスや郵便受として収受スペースを作ってしまうと、そのための扉や電気錠を固定するためのネジ穴などの配置がそれそれ異なってしまうことがほとんどであり、したがって、特定の集合住宅のためには、特定のボックス配置、構造を有する物品収受装置を毎回、新たに設計、製造し直さなければならず、製造の手間とコストが多大である、という問題があった。
【００１２】
また、宅配ボックスの物品収容ボックスは、一般に各所帯に割り当てられず、配達人が宛先を指定して物品を収容し、しかる後に受取人がＩＤカード（たとえば自己のＩＤ情報を記録した非接触のＩＣカードなど）をコンソールに提示すると、自分宛の物品が収容された物品収容ボックスが開錠されるような使用形態をとるが、郵便ポストの郵便受の場合は、各所帯に１つづつ割り当てられる。
【００１３】
一般に、多くの集合住宅では、郵便受は入居時に位置が固定されてしまうのが普通で、使い勝手の良い操作しやすい高さの位置を確保した入居者と悪い位置を割り当てられた入居者に使い勝手の上で不公平が生じる、という問題があった。また、宅配ボックスは、２、３の異なるサイズのボックスを複数配置するのが普通であるが、居住者の生活形態によって、数が足りなくなったり、あるいはより大きなサイズのボックスが必要になる、といった問題が生じる場合もある。
【００１４】
そこで、設計／組立時のみならず、物品収受装置の設置後であっても、郵便受や宅配ボックスの配置や数を容易に変更することができるシステムがあれば、その時々の居住者の需要に適合したボックス配置へのカスタマイズが柔軟に行なえる、と考えられる。
【００１５】
また、従来より、宅配ボックスと郵便受の開錠を連動させるシステムは提案されているが、上記のように物品収容ボックスと郵便受を混交して共通の筐体中に組み込む構成では、開錠操作があった時に無条件に自動的に物品収容ボックスないし郵便受の扉が開くような制御を行なってしまうと、もし近接した別のボックスを操作（たとえば扉を開いて荷物を出し入れ）している別の居住者が居た場合に使い勝手と安全性が低下する可能性があった。
【００１６】
本発明の課題は、上記の問題に鑑み、物品収容ボックスと郵便受を混交して共通の筐体中に組み込むことができ、また、物品収容ボックスと郵便受の各々の数や配置位置を設計／組立時、あるいは全体の設置後に任意に高い自由度で変更できるようにすることにある。
【課題を解決するための手段】
【００１７】
上記課題を解決するため、本発明においては、宅配荷物または郵便物の収受に用いられる物品収受装置において、配達された宅配荷物を収容するとともに電気錠により施錠可能な複数の物品収容ボックスと、配達された郵便物を収容し、その取り出し口を電気錠を介して施錠可能であり、特定の宛先に対応づけられて配置される複数の郵便受と、前記物品収容ボックス、および前記郵便受が所定の単位サイズに基づきその形状およびサイズが決定された収受ユニットとして構成され、少なくとも前記電気錠を制御する基板を含み、前記物品収容ボックスまたは前記郵便受として機能する収受ユニットを収容する筐体と、前記物品収容ボックスないし前記郵便受として機能する前記収受ユニットの前記基板と電気的に接続され、前記収受ユニットの電気錠の施錠および開錠を制御する制御回路と、を含み、前記制御回路は、前記筐体に収容され、かつ該制御回路とその基板が電気的に接続された前記収受ユニットが物品収容ボックスであるか郵便受であるかを示す第１の識別情報と、当該収受ユニットが郵便受である場合に当該郵便受と対応づけられる特定の宛先を識別する第２の識別情報を登録可能な管理テーブルを有し、前記制御回路は、前記管理テーブルを用いて前記物品収容ボックスないし前記郵便受として機能する前記収受ユニットの電気錠の施錠および開錠を制御する構成を採用した。
【発明の効果】
【００１８】
上記構成を採用することにより、本発明によれば、物品収容ボックスと郵便受を混交して共通の筐体中に組み込むことができ、物品収容ボックスと郵便受の各々の数や配置位置を設計／組立時、あるいは全体の設置後に任意に高い自由度で変更できる、という優れた効果がある。
【発明を実施するための最良の形態】
【００１９】
以下、本発明を実施するための最良の形態の一例として、宅配ボックスと郵便ポストを併設して成る物品収受装置に関する実施例を示す。本実施例では、宅配ボックスと郵便ポストは、必ずしもそれぞれ独立した別々の筐体（以下ボックス、という）に収容されるものではなく、設置される集合住宅などの仕様に合せて１つのボックスには宅配ボックスと郵便ポストを混交して配置することができる。
【実施例１】
【００２０】
図１および図２は、本発明を採用した宅配ボックスと、郵便ポストを併設して成る物品収受装置を表側（図１）、および居住者側（図２）からそれぞれ示している。
【００２１】
図１、図２に示した物品収受装置は、３つのスチール製などのボックス（筐体）１００と、その間に配置された制御タワー５００ａから構成されている。図示した物品収受装置の表側（図１）は、オートロックにより画成されたマンションのような集合住宅（以下、同等の住宅を「マンション」の用語により言及する）の居住者空間の外側（以下、公共側、などとも記す）に向けて配置され、図２に示した物品収受装置の裏側は、居住者空間の内側（以下、プライベート側、などとも記す）に向けて配置される。
【００２２】
図１において、右側および中央のボックス１００、１００の構造はほぼ同様であり、上部および下部に配置されたサイズの異なる２種類の容量の物品収容ボックス１１１、１１１…と、その間に２列に配置された郵便受２１１、２１１…を有する。
【００２３】
右側および中央のボックス１００、１００の間には、制御タワー５００ａが配置される。本実施例の制御タワー５００ａは、（公共側から）物品収容ボックス１１１や郵便受２１１の開錠その他の制御に用いられるＩＣセンサ４０１、ＬＥＤやＬＣＤなどを用いて構成した郵便物着荷表示４０２、宅配物着荷表示４０３を有する。制御タワー５００ａは、単数ではなくより多数のボックスを配置する場合には適宜、ボックスの間に配置してもよい。
【００２４】
図１の左側のボックス１００は、２種類の容量の４つの物品収容ボックス１１１、１１１…と、制御部５００から構成されている。制御部５００は、制御タワー５００ａよりも、もっと本格的な制御、たとえば物品の収容操作などを行なうための制御コンソールを有している。この制御コンソールは、ガイダンス表示や操作キーを表示する表示部およびタッチパネル５０１、物品収容ボックス１１１や郵便受２１１の開錠その他の制御に用いられるＩＣカードリーダ５０２、宅配業者などに対してレシートなどを発行するためのプリンタ（あるいは印字機）５０３を有している。
【００２５】
物品収容ボックス１１１は、上記の制御コンソールの操作に応じて電気錠３０１を介して施錠、開錠される表側扉をそれぞれ有する。本実施例の郵便受２１１は、２つの投函口（後述：２１１１、２１１２）と、非常時に公共側から表側扉をロックしている電気錠３０１を（たとえば純機械的な動作により）開錠するためなどに用いられる非常用キー３０３を有する。
【００２６】
図２は、図１の物品収受装置のプライベート側の配置を示している。制御タワー５００ａの構成は、ＩＣセンサ４０１、郵便物着荷表示４０２、宅配物着荷表示４０３などを有する表側と同様の構成である。制御部５００にも図１に示したものと同等の制御コンソールが設けられるが、ここではその詳細な図示は省略してある（あるいは制御タワー５００ａのユーザーインターフェースのみで充分な制御を行なえる場合は、裏（プライベート側）の制御コンソールは省略してもよい）。
【００２７】
郵便受２１１、２１１…は、プライベート側の制御部５００の制御コンソールの操作、または、制御タワー５００ａの操作によって電気錠３０１を介して開錠される扉１１１７、および２１１７をそれぞれ有する。図２の左側の郵便受２１１を有する２つのボックスの下部には、各ボックスに共通の郵便物着荷表示４０４、４０４を設けてある。この郵便物着荷表示４０４、４０４は、たとえば各ボックスのどれかの郵便受２１１に郵便物が届いていることを示すためなどに用いられる。あるいは郵便物着荷表示４０４、４０４とともに、各ボックスの物品収容ボックス１１１のどれかに物品が収容されているか否かを表示する表示手段を設けてもよい。
【００２８】
これら、ボックス１００の下部の表示手段は、郵便物や物品の有無だけではなく、たとえば解錠操作が行なわれた場合に、特定の表示態様の表示を行なって、その解錠操作により解錠された郵便受２１１や物品収容ボックス１１１が含まれるボックスを明示するために用いることもできる。
【００２９】
図１および図２に明らかなように、２種類の大きさの異なる物品収容ボックス１１１は、郵便受２１１の大きさを単位とする大きさになっている。たとえば、図１上部の物品収容ボックス１１１は、郵便受２１１を左右に２つ配置するのと同じ大きさであり、下部の物品収容ボックス１１１は上下２列に左右２つの郵便受２１１を配置するのと同じ大きさを占める。物品収容ボックス１１１および郵便受２１１は後述するようなユニット構造であり、たとえばボックス１００、１００…の所定位置に適宜棚板のような支持部材（詳細は不図示）を渡して画成した配置スペースにそれぞれ組み付けられる。
【００３０】
図３は制御部５００の回路構成を示すものであるが、図３の回路を説明する前に、ユニット構造化され、その配置位置や数を種々にカスタマイズ可能な郵便受２１１（および物品収容ボックス１１１：物品収容ボックス１１１の構造も郵便受２１１と同等である）の構成につき説明する。
【００３１】
図４〜図８に郵便受２１１の構造、および郵便受２１１の組み付け構造を示す。物品収容ボックス１１１の構造は、公共側に投函口（２１１１、２１１２）が無いだけで、その構造は郵便受２１１とほぼ同様である。以下では、図４〜図８に示すような構造を有する郵便受２１１ないし物品収容ボックス１１１を総称するときは「収受ユニット」の名称を用いる。
【００３２】
図４（ａ）、（ｂ）は郵便受２１１の内部構造を示している。図４（ａ）は郵便受２１１の断面を、図４（ｂ）は郵便受２１１の公共側の正面をそれぞれ示している。郵便受２１１はスチールなどの材質の箱型の筐体を１ユニットとして構成される。このユニット構造の大きさは、図１および図２に示した１つの郵便受２１１の大きさを決定する。
【００３３】
郵便受２１１の公共側の扉（図４（ａ）右側：電気錠３０１でほとんどの場合施錠状態とされるが、ネジ止めなどにより固定されたパネルであってもよい）には、大小２つの投函口２１１２、および２１１１、および上述の非常用キー３０３が配置される。大きい投函口２１１２には、雨や塵埃などを避けるためのフラップ（扉）２１１２ａが揺動自在に設けられる。投函口２１１１の側方には、ＬＣＤパネルなどにより表示内容を変更可能とした部屋番号表示２１１２が設けられる。部屋番号表示２１１２の点灯回路は内部に設けた基板２１１４または２１１５と不図示のワイヤハーネスを介して接続される。
【００３４】
郵便受２１１の内部は上下の投函口２１１１、２１１２から投函された郵便物（あるいは他の印刷物）を仕分けるための仕切板２２２６が配置される。内部に投函された郵便物の有無を検出するために、郵便受２１１の隔室の上部（あるいはさらに下部にも：図４（ｂ））郵便物センサ６２２１が配置される。郵便物センサ６２２１はたとえば反射式光センサやＣＣＤカメラなどから構成される。
【００３５】
郵便受２１１のプライベート側（図４（ａ）左側）には扉２１１７が開閉可能にヒンジ（詳細不図示）などを介して支持される。公共側の扉、およびプライベート側の扉２１１７は、それぞれ電気錠３０１１、３０１２により施錠／開錠される。
【００３６】
電気錠３０１１、３０１２、郵便物センサ６２２１、部屋番号表示２１１２は、内部の側壁などに沿って配置される基板２１１４、２１１５（ここでは２枚構成であるが１枚の基板に基板２１１４、２１１５の回路が塔載されていてもよい）の制御回路と接続される。
【００３７】
物品収容ボックス１１１の構造は、たとえば公共側の扉に投函口２１１１、２１１２、あるいはさらに非常用キー３０３が設けられない点以外はほぼ上記と同様である。
【００３８】
収受ユニット（郵便受２１１ないし物品収容ボックス１１１）の基板２１１４ないし２１１５には、図８に示すように後述する制御部５００を構成する制御回路と接続するワイヤハーネスを装着するためのコネクタ２１１９が設けられる。
【００３９】
なお、この種のワイヤハーネスは、筐体であるボックス（１００、１００…）の収受ユニット（郵便受２１１ないし物品収容ボックス１１１）の周囲の空間に収容されるもので、たとえば後述する制御部５００を構成する制御回路とのネットワーク関係はいわゆるスター型であるものとする。この場合には、ワイヤハーネス中の特定の信号線は、特定の位置（後述の管理テーブル６０１４で管理されるユニット番号に該当）にある収受ユニットと接続されることになり、制御回路はその信号線（の番号など）を識別することにより、その信号線に電気的に接続された収受ユニットを特定することができる。なお、バス構成のネットワークにより収受ユニット（郵便受２１１ないし物品収容ボックス１１１）と後述する制御部５００を構成する制御回路を接続する構成も考えられるが、その場合には制御回路は当然ながら特定のプロトコルなどを用いて収受ユニット（の基板）と通信することにより収受ユニット（たとえばそのユニット番号）を特定できるものとする。
【００４０】
さらに基板２１１４ないし２１１５には、ジャンパブロック２１２０が設けられる。ジャンパブロック２１２０は、ショートピンの装着位置により、当該の収受ユニット（郵便受あるいは物品収容ボックス）の識別情報を設定するために用いられる。
【００４１】
このジャンパブロック２１２０により表現され当該の基板に付与される識別情報には、少なくとも当該の収受ユニットが郵便受２１１ないし物品収容ボックス１１１のいずれであるかを示す情報、また、当該の収受ユニットが郵便受２１１である場合は郵便物の受取人に該当する居室の部屋番号の情報が含まれるものとする。郵便受２１１のジャンパブロック２１２０に部屋番号を設定した場合には、後述の制御回路の制御を待たなくても、基板２１１４ないし２１１５に電源が供給された時点で、ジャンパブロック２１２０に設定された部屋番号を部屋番号表示２１１２として表示することができる。なお、上記の識別情報のうち、当該収受ユニットが郵便受２１１ないし物品収容ボックス１１１のいずれであるかの情報は、たとえばコネクタ２１１９の電極２１１９ａの１つ（あるいはいくつか）を接地しておく（あるいは電源電圧にプルアップしておく）、あるいは、電極２１１９ａの１つ（あるいはいくつか）を除去して電気的にオープンの状態にしておく、などの手段によっても表現することができる。
【００４２】
図５（ａ）、（ｂ）、図６および図７は、上述の構造を有する収受ユニット、すなわち、郵便受２１１、物品収容ボックス１１１のボックス１００への組み付け状態、および配置変更の様子を示したものである。
【００４３】
図５（ａ）、（ｂ）は、図１の右（図２の左）および中央に示したボックス１００と同じ構成で、収受ユニット、すなわち、郵便受２１１、物品収容ボックス１１１をボックス１００へ組み付けた状態を示している。
【００４４】
図５（ａ）は、上部の４つの郵便受２１１の扉２１１７をそれぞれ開いた状態でボックス１００をプライベート側から示している。扉２１１７の内部には、電気錠３０１２および基板２１１５、仕切板２２２６の位置が示されている。物品収容ボックス１１１は上部に郵便受２１１の２つ分のサイズのものが１つ、下部に郵便受２１１の４つ分のサイズのものが１つ配置されている。
【００４５】
このように、ユニット構造化された物品収容ボックス１１１、および郵便受２１１は、所定の単位サイズ（本実施例の場合、郵便受２１１のサイズ）に基づきその形状およびサイズが決定されており、これら物品収容ボックス１１１、および郵便受２１１として用いられる収受ユニットは相互に容易に交換することができ、また、既に組み付けられたいくつかの収受ユニットを取り外してそこに異なるサイズの収受ユニットを装着することも容易に行なえる。
【００４６】
収受ユニット、すなわち郵便受２１１、物品収容ボックス１１１は、上述のようなサイズ構成のユニットとして構成されているから、たとえばボックス１００の所定位置に適宜棚板のような支持部材（詳細は不図示）を渡して画成した配置スペースにそれぞれ組み付け、固定する（その手法はネジ止めや、爪などを用いた嵌合構造など、任意である）ことができ、設置されるマンションの居室構成などに応じてボックス１００の構成を決め、また郵便受２１１、物品収容ボックス１１１の数や配置を決定する設計および組立作業は容易であり、また、設置されるマンションごとに異なる部品を用いることなく実施することができ、また、マンション竣工後に郵便受２１１や物品収容ボックス１１１の数や配置を変更することも容易である。
【００４７】
たとえば、図６（ａ）（上部の２つの郵便受２１１、２１１の扉２１１７のみが開いているだけで図５（ａ）と各収受ユニットの配置は同じである配置）のような配置から、上から２段目の２つの郵便受２１１、２１１を除去し、かわりにその部分を図６（ｂ）に示すように物品収容ボックス１１１に変更することもできる。この場合、郵便受２１１、２１１の構成となっている収受ユニットを取り外し、かわりに郵便受２１１２倍のサイズで構成された物品収容ボックス１１１を組み付けるだけで良い。
【００４８】
図６（ｂ）では、取り外した郵便受２１１、２１１のかわりに取り付けた物品収容ボックス１１１のプライベート側の扉１１１７は開いた状態であり、物品収容ボックス１１１内部の物品センサ６１２１（郵便物センサ６２２１と同様、内部の宅配物などを検出するための反射式光センサやＣＣＤカメラなどから構成される）の設置位置、上述の郵便受２１１と同様に構成された電気錠３０１２や基板１１１５（郵便受２１１の基板２１１５に対応）の位置が示されている。
【００４９】
図７（ａ）、図７（ｂ）は、図６に示した配置変更の様子をより詳細に示している。図７（ａ）は、２つの郵便受２１１、２１１の公共側（図７（ａ）の上部）、およびプライベート側（図７（ａ）の下部）を示しており、これらの郵便受２１１、２１１には、その中央部の隔壁２１１ａにそれぞれ沿う位置に基板２１１４、２１１４が配置される。基板２１１５、２１１５および電気錠３０１２、３０１２の配置位置も図７（ａ）の下部に示したように同様にその中央部の隔壁２１１ａにそれぞれ沿う位置である。
【００５０】
なお、２つの郵便受２１１、２１１はそれぞれ別体のユニット構造ではなく、２つで一体のユニット構造であってもよい。
【００５１】
また、図７（ｂ）は、２つの郵便受２１１、２１１のかわりに装着される収受ユニットとして物品収容ボックス１１１をプライベート側の扉１１１７を開いた状態（図７（ｂ）の上部）、および閉じた状態（図７（ｂ）の下部）で示しており、こちらの収受ユニットは１つぶんの物品収容ボックスであるから、基板１１１５と電気錠３０１２はそれぞれ１つ設けられるだけである（物品収容ボックス１１１の公共側に配置される基板１１１４、電気錠３０１１は郵便受２１１の基板２１１４、電気錠３０１１と同等の配置であるものとする）。
【００５２】
ここで図３に戻り、制御部５００を構成する制御回路の構成につき説明する。図３においては、以上で説明した各構成部材については同一の参照符号を用いており、各部材の機能については以下では必要な場合を除き、重ねて説明しない。
【００５３】
制御部５００を構成する制御回路６００は、主制御部６０１、物品収容ボックス６１０および郵便受６２０、の基板と通信するための入出力回路６０２、６０３、表示部およびタッチパネル５０１、ＩＣカードリーダ５０２、プリンタ５０３から構成される。
【００５４】
主制御部６０１は、ＣＰＵ６０１１、ＲＯＭ６０１２、ＲＡＭ６０１３、および表示部およびタッチパネル５０１、ＩＣカードリーダ５０２、プリンタ５０３、さらにマンションのオートロックシステム、各居室のインターフォン、あるいは管理センターなどとネットワークを介して通信するための外部制御部６３０と接続するための入出力回路６０１５から構成される。
【００５５】
図３では、物品収容ボックス６１０、および郵便受６２０を便宜上、別の参照符号で示してあるが、上述のように電気的／論理的には同等の構成であり、電気錠６１１（３０１）、６２１（３０１）、物品ないし郵便物のセンサ６１２（上述のセンサ６１２１）、６２２（上述のセンサ６２２１）を有する。また、ＩＤ６１３、６２３として示したものは、図８に示したような構成（たとえばジャンパブロック２１２０やコネクタ２１１９のピン配置／接続など）で実現される識別情報である。
【００５６】
主制御部６０１のＣＰＵ６０１１は、ＲＯＭ６０１２に格納された制御プログラム（後述）に従って、各部の施錠／開錠などを含む装置全体の動作を制御する。
【００５７】
上述のように、物品収容ボックス６１０および郵便受６２０、は収受ユニットとして構成され、図４〜図７に示したように組立てを容易に行なえ、設計変更や、設置後の配置換えを自由に行なうことができる。
【００５８】
本実施例では、制御回路６００もこのような機械的な部分の配置換えに対応できるような構成を含む。
【００５９】
すなわち、主制御部６０１は、ＲＡＭ６０１３の所定領域に配置される管理テーブル６０１４を有している。管理テーブル６０１４の記憶内容は、電源遮断時（不意の停電時なども含む）にも消去されてしまわないよう、たとえばバックアップ電源により保持する。あるいは電源遮断時にも記憶内容が保持される不図示の不揮発ＲＯＭやＨＤＤなどを用いて管理テーブル６０１４の記憶領域を構成してもよい。
【００６０】
この管理テーブル６０１４は、収受ユニット（物品収容ボックスまたは郵便受）のユニット番号６０１４ａごとに、少なくとも、そのユニットが郵便受または物品収容ボックスのいずれであるかの情報を記録するための識別領域６０１４ｂ、そして、そのユニットが郵便受である場合に該郵便受が対応づけられる宛先の居室の番号を登録するための識別領域６０１４ｃを有するものとする。
【００６１】
このような管理テーブル６０１４を用いることにより、物品収受装置の収受ユニット（物品収容ボックスまたは郵便受）の数や配置に関する構成を動的に変更することが容易となる。
【００６２】
次に上記のように構成された物品収受装置の収受ユニット（物品収容ボックスまたは郵便受）の数や配置に関する構成を、組立時や、マンションへの設置後に変更する配置変更（割り付け変更）につき説明する。
【００６３】
図９〜図１２は、上記の物品収受装置の収受ユニット（物品収容ボックスまたは郵便受）の数や配置に関する構成を、組立時や、マンションへの設置後に変更する配置変更の制御の一例を示している。図示の手順のうち、制御回路６００の主制御部６０１が実行する手順はＣＰＵ６０１１の制御プログラムとして、たとえばＲＯＭ６０１２に格納しておく。
【００６４】
図９は収受ユニット（物品収容ボックスまたは郵便受）の数や配置に関する構成を、組立時や、マンションへの設置後に変更する割り付け制御の概要を示している。
【００６５】
図９のステップＳ１０では、物品収受装置の筐体であるボックス１００に収受ユニット（物品収容ボックスまたは郵便受）を組み付ける。たとえば、新規設置用の物品収受装置を組み立てる場合には、マンションの居室数や配置スペースなどに応じて、筐体であるボックス１００の所定位置に適宜棚板のような支持部材（詳細は不図示）を渡して各収受ユニットの配置スペースを画成し、その配置スペースに上述のように構成された収受ユニット（物品収容ボックスまたは郵便受）を組み付ける。また、マンションへの設置後の配置変更などの場合には、収受ユニット（物品収容ボックスまたは郵便受）の一部を取り外し、他の収受ユニット（郵便受または物品収容ボックス）に交換する（たとえば図６（ａ）、（ｂ）を参照）。
【００６６】
ステップＳ１０の組立時には、収受ユニット（物品収容ボックスまたは郵便受）の基板１１１４、１１１５、２１１４、２１１５と、図３に示した制御回路６００を不図示のワイヤハーネスなどを介して接続する作業を行なう。また、システムが図１に示したように複数のボックス１００から構成される場合には、各ボックスと、それを制御する制御回路６００を不図示のワイヤハーネスで接続する。このとき、収受ユニット（の基板）に図８のような識別情報を付与するための構成を設けておけば、後述の図１１に示すような自動割り付け処理が可能となる。
【００６７】
ステップＳ１１では、収受ユニットの割り付け変更（または新規設定）を行なう。この処理の例は後述の図１０および図１１に示す。ステップＳ１２では、収受ユニットの割り付け変更（または新規設定）の結果が正しいかどうかを検証するために、初期化処理、および、必要であれば所定の検査処理を行なう。
【００６８】
図１０は、図９のステップＳ１１に示した収受ユニットの割り付け変更（または新規設定）を、制御コンソールの表示部およびタッチパネル５０１などを用いた手動設定操作、およびそれに基づくＣＰＵ６０１１の制御によって実施する処理例を示している。この図１０の処理により割り付け変更（または新規設定）を行なう場合には、収受ユニットには図８に示したような識別情報を付与するための構成は必ずしも必要ない。
【００６９】
図１０の制御コンソールの表示部およびタッチパネル５０１（表、裏のいずれの制御コンソールを用いてもよい）で割り付けユーザーインターフェースを起動する。ステップＳ２２以降の操作はこの割り付けユーザーインターフェースを介して行なわれる。
【００７０】
ステップＳ２２〜Ｓ２６のループでは、各収受ユニットの割り付け変更（または新規設定）操作を順次受け付ける。まず、ステップＳ２２では表示部およびタッチパネル５０１でダイアログ表示などを行ない、設定対象である収受ユニットのユニット番号をオペレータに入力させ、続いて、ステップＳ２３でその収受ユニットが郵便受２１１であるか（Ｐ）、物品収容ボックス１１１であるか（Ｔ）を入力させる。
【００７１】
ステップＳ２２で、その収受ユニットが郵便受２１１であるか（Ｐ）、物品収容ボックス１１１であるか（Ｔ）の情報が入力されると、ＣＰＵ６０１１は、ステップＳ２２で入力されたユニット番号を用いて図３の管理テーブル６０１４の該当レコードの位置（ユニット番号６０１４ａ、または管理テーブル６０１４の先頭からのオフセットなどにより識別可能）を参照し、そのレコードの識別領域６０１４ｂにステップＳ２３で入力された収受ユニットが郵便受２１１であるか（Ｐ）、物品収容ボックス１１１であるか（Ｔ）の情報を書き込む。
【００７２】
ステップＳ２４では、その収受ユニットが郵便受２１１である（Ｐ）か否かを判定し、その収受ユニットが郵便受２１１である（Ｐ）場合にはステップＳ２５でさらにその郵便受２１１に対して割り付ける部屋番号を入力させ、ＣＰＵ６０１１は入力された部屋番号を管理テーブル６０１４の識別領域６０１４ｃに書き込む。
【００７３】
ステップＳ２６では処理を終了する操作が行なわれたか否か（あるいは全ての収受ユニットを設定したか否か）を判定し、設定操作の続きがあればステップＳ２２に戻り上記の処理を繰り返す。
【００７４】
以上のようにして、収受ユニットの割り付け変更（または新規設定）を、制御コンソールの表示部およびタッチパネル５０１などを用いた手動設定操作を介して実施できる。設定操作終了後には、管理テーブル６０１４には、図３で一部図示したように、組み付けられている各収受ユニットについてその収受ユニットが郵便受２１１であるか（Ｐ）、物品収容ボックス１１１であるか（Ｔ）の情報（識別領域６０１４ｂ）、および郵便受２１１である場合には対応する部屋番号の情報（識別領域６０１４ｃ）が登録される。
【００７５】
ＣＰＵ６０１１は、以後この管理テーブル６０１４の識別データを用いて、郵便受２１１および物品収容ボックス１１１の収受制御（開錠／施錠制御など）を行なうことができる。
【００７６】
なお、図１０のような手動設定操作を行なう場合でも、図８の構成は各収受ユニットに設けておいてもよい。たとえば、その一部、たとえば郵便受２１１か物品収容ボックス１１１かの識別情報のみを収受ユニットに設けておき、ユニットの種別のみはこの識別情報を用いて自動設定するようにしてもよい。また、ステップＳ２２でユニット番号を手動入力せず、図１１に示すように順次ユニット番号をインクリメント（ないしデクリメント）しつつ、順番にその番号のユニットの設定を行なわせるようにしてもよい。
【００７７】
図１１は、図８に示したような収受ユニットの識別情報を表現する構成を設けておき、これを利用して収受ユニットの自動割り付けを行なう場合の制御例を示している。
【００７８】
図１１のステップＳ３１では、ＲＡＭ６０１３の所定領域に配置したカウンタに設定するユニット番号を０にリセットする（ユニット番号が０から始まる場合）。このカウンタの値は、以下の処理において、特定のユニット番号を有する収受ユニット、およびそれに対応する管理テーブル６０１４のレコードを指示するポインタとして用いられる。
【００７９】
ステップＳ３２では、ワイヤハーネスを介して入出力回路６０２、６０３（図３）に接続された収受ユニット（物品収容ボックス６１０、郵便受６２０）の識別情報をスキャンする。この識別情報は、図８の構成により表現され、各収受ユニットから出力される。そして、カウンタに現在設定されているユニット番号の収受ユニットを特定し、その収受ユニットの郵便受２１１であるか（Ｐ）、物品収容ボックス１１１であるか（Ｔ）の情報を読み取る。図８の構成では、たとえばこの情報は、上述のようにジャンパブロック２１２０やコネクタ２１１９のピン配置／接続などにより表現されたものである。ＣＰＵ６０１１は、読み取った郵便受２１１であるか（Ｐ）、物品収容ボックス１１１であるか（Ｔ）の情報は、カウンタが現在指示している管理テーブル６０１４の識別領域６０１４ｂに書き込む。
【００８０】
ステップＳ３３では、当該の収受ユニットが郵便受２１１である（Ｐ）か否かを判定し、ステップＳ３４でさらにその郵便受２１１に対して割り付ける部屋番号（図８の構成では、上述同様にジャンパブロック２１２０やコネクタ２１１９のピン配置／接続などにより表現される）を読み取り、ＣＰＵ６０１１は入力された部屋番号を管理テーブル６０１４の識別領域６０１４ｃに書き込む。
【００８１】
ステップＳ３５では、カウンタの値を１つインクリメントさせ、ステップＳ３６では、全ての収受ユニットに関する設定処理を終了したか否かを判定する。この判定は、たとえばカウンタの値が上限に達したか否か（たとえばスキャンした収受ユニットの数との比較により可能である）を検査することなどによって行なうことができる。全ての収受ユニットに対する設定処理が終了していなければ、ステップＳ３２に戻り、上記の処理を繰り返す。
【００８２】
以上のようにして、収受ユニットの割り付け変更（または新規設定）を、各収受ユニット（の基板）ごとに図８のような構成により付与された識別情報を読み出して用いることにより、完全な自動設定処理により実施できる。自動設定終了後には、管理テーブル６０１４には、図３で一部図示したように、組み付けられている各収受ユニットについてその収受ユニットが郵便受２１１であるか（Ｐ）、物品収容ボックス１１１であるか（Ｔ）の情報（識別領域６０１４ｂ）、および郵便受２１１である場合には対応する部屋番号の情報（識別領域６０１４ｃ）が登録される。この処理では、ほぼ全自動処理によって、収受ユニットの割り付け変更（または新規設定）を実施でき、作業者は所定の位置に所定の収受ユニット（郵便受２１１または物品収容ボックス１１１）を組み付け（その際、ジャンパブロック２１２０やコネクタ２１１９のピン配置／接続などによって部屋番号などの識別情報を適宜設定する）、図１１の処理を起動するだけで、全ての収受ユニットの割り付け変更（または新規設定）がほぼ自動的に実行されるため、面倒な操作を必要とせず、確実かつ迅速に収受ユニットの割り付け変更（または新規設定）を実施することができる。
【００８３】
図１２は、収受ユニットの組み付けや改変（たとえば図６（ａ）、（ｂ）に示したような配置変更）を行なわないが、郵便受と居室の対応関係を変更（郵便受の部屋番号変更）する場合の制御例を示している。
【００８４】
このような郵便受の部屋番号変更（郵便受の配置変え）は、前述のように郵便受の位置によって使い勝手に不公平が生じるのを回避するために、たとえばマンションの管理組合や管理会社の主導によって行なわれる。なお、図１２の処理においては、図８に示したような収受ユニットごとにその識別情報を付与（表現）するためのジャンパブロック２１２０やコネクタ２１１９のピン配置／接続などの構成は必要ない。
【００８５】
図１２のステップＳ４１では、郵便受の部屋番号変更、すなわち、郵便受と居室の対応関係を変更する必要があるか否かを判定する。この判定は、たとえば、制御コンソールで、郵便受の部屋番号変更を命令する操作が行なわれたか否かを判定することによって行なうことが考えられる。また、制御回路６００に設けた不図示のリアルタイムクロックで計時した現在時刻が特定の日時（たとえばマンションの管理組合や管理会社が制御コンソールを介して設定した特定の配置変え日時：たとえば１年に一度、特定の月の第１日曜日など）が到来したことを検出することによって行なってもよい。
【００８６】
ステップＳ４１が肯定された場合には、ステップＳ４２以降で郵便受の部屋番号変更処理を行なう。ステップＳ４２では、郵便物センサ（上記の６２２、６２２１）などを用いて、内部に郵便物が滞留している郵便受があるか否かを判定する。ただし、後述の部屋番号の変更対象から除外するフラグを立てている郵便受についてはそれ以上ステップＳ４２では滞留の判定を行なわない。
【００８７】
ステップＳ４２で内部に郵便物が滞留している郵便受がある場合は、ステップＳ４３でその滞留が長期滞留（たとえば１ないし数ヶ月単位の滞留）であるか否かを判定する。この長期滞留の判定は、不図示のリアルタイムクロックの計時情報とともに郵便物センサ（上記の６２２、６２２１）の出力や扉２１１７の開閉状態を常時監視し、データベース化してＲＡＭ６０１３（あるいは不図示のＨＤＤなど）に登録しておき、この登録情報を参照することによって可能となる。本実施例では、長期滞留でない場合は、その郵便受を部屋番号の変更対象から除外することなくステップＳ４４に進むが、長期滞留の場合には、ステップＳ４３においてその郵便受を部屋番号の変更対象から除外するフラグを立てる。この処理は、ステップＳ４２にループして長期滞留の郵便受があり、かつ部屋番号の変更対象から除外するフラグを立てていないものが残っている限り続行する。
【００８８】
一方、ステップＳ４２で内部に郵便物が滞留している郵便受がない、あるいは全ての長期滞留の郵便受に部屋番号の変更対象から除外するフラグを立て終った場合にはステップＳ４４に進み、（ステップＳ４３で）部屋番号の変更対象から除外されていない郵便受についてのみ、管理テーブル６０１４の各ユニット番号のレコードを１つづつシフト（昇順ないし降順で）させる。
【００８９】
ステップＳ４５では、新たな管理テーブル６０１４の内容にしたがって、各郵便受の部屋番号表示（２１１３：図４（ｂ））を新たに割り当てられた部屋番号の表示に変更する。
【００９０】
なお、図１２では、番号を１つづつシフトする例を示したが、もちろん郵便受のユニット番号と部屋番号をランダムな関係に割り付け直すような処理を行なってもよい。また、郵便物の滞留がある場合には、滞留期間の長さにかかわらず、部屋番号の変更対象から除外するフラグを立てるようにしてもよい。
【００９１】
図１２のような処理を行なうことにより、たとえば１年ないし数年に１度、などの適当な頻度で、部屋番号の変更（シフト）を行ない、居住者に対する郵便受の割り付けを変更することができ、郵便受の位置によって使い勝手に不公平が生じ、それが固定化されてしまうのを回避することができる。
【図面の簡単な説明】
【００９２】
【図１】本発明を採用した物品収受装置の構成（公共側）を示した説明図である。
【図２】図１の物品収受装置の構成（プライベート側）を示した説明図である。
【図３】図１の物品収受装置の制御回路を示したブロック図である。
【図４】図１の物品収受装置の郵便受の構成を示したもので、（ａ）は郵便受の断面図、（ｂ）は正面図である。
【図５】図１の物品収受装置の郵便受の構成を示したもので、（ａ）は郵便受のプライベート側の扉を開いた状態の説明図、（ｂ）は公共側の正面を示した説明図である。
【図６】図１の物品収受装置の配置変更の様子を示したもので、（ａ）は郵便受のプライベート側の扉を開いた状態の説明図、（ｂ）は（ａ）の状態から２つの郵便受を物品収容ボックスに変更した状態を示した説明図である。
【図７】図１の物品収受装置の配置変更の様子を示したもので、（ａ）は変更される郵便受を、（ｂ）は変更後の物品収容ボックスをそれぞれ示した説明図である。
【図８】図１の物品収受装置の郵便受の回路基板の構成を示した説明図である。
【図９】図１の物品収受装置における収受ユニット（郵便受および物品収容ボックス）の配置変更の概要を示したフローチャート図である。
【図１０】図１の物品収受装置における収受ユニット（郵便受および物品収容ボックス）の手動操作による配置変更の様子を示したフローチャート図である。
【図１１】図１の物品収受装置における収受ユニット（郵便受および物品収容ボックス）の自動配置変更の様子を示したフローチャート図である。
【図１２】図１の物品収受装置における郵便受の部屋番号変更の様子を示したフローチャート図である。
【符号の説明】
【００９３】
１００  ボックス（筐体）
１１１  物品収容ボックス
２１１  郵便受
３０３  非常用キー
４０１  ＩＣセンサ
４０２  郵便物着荷表示
４０３  宅配物着荷表示
４０４  郵便物着荷表示
５００ａ  制御タワー
５０１  表示部およびタッチパネル
５０２  ＩＣカードリーダ
５０３  プリンタ（印字機）
６００  制御回路
６０１  主制御部
６０２、６０３  入出力回路
６１０  物品収容ボックス
６２０  郵便受
６３０  外部制御部
１１１７  扉
２１１２  部屋番号表示
２１１７  扉
２１１９  コネクタ
２１２０  ジャンパブロック
３０１１、３０１２  電気錠
６０１１  ＣＰＵ
６０１２  ＲＯＭ
６０１４  管理テーブル
６０１５  入出力回路
６１２１  物品センサ
６２２１  郵便物センサ
【図１】
2010115263.tif 000003
【図２】
2010115263.tif 000004
【図３】
2010115263.tif 000005
【図４】
2010115263.tif 000006
【図５】
2010115263.tif 000007
【図６】
2010115263.tif 000008
【図７】
2010115263.tif 000009
【図８】
2010115263.tif 000010
【図９】
2010115263.tif 000011
【図１０】
2010115263.tif 000012
【図１１】
2010115263.tif 000013
【図１２】
2010115263.tif 000014